(57)【要約】【課題】照明制御システムにおいて、ろうそくの炎による照明を疑似的に再現し、かつ、低コストにする。【解決手段】照明制御システム１は、光源２と、点灯回路３と、制御部４と、光源２の光出力を変化させる揺らぎ波形を生成する調光信号生成部５と、揺らぎ波形の元となる第１の揺らぎ波形と第２の揺らぎ波形を記憶する記憶部６とを備えている。第１の揺らぎ波形は光出力の周期が長く、かつ変化幅が大きい。第２の揺らぎ波形は周期が相対的に短く、かつ変化幅が相対的に小さい。調光信号生成部５は第１の揺らぎ波形と第２の揺らぎ波形を重畳して揺らぎ波形を生成し、第１の揺らぎ波形の光出力の変化幅を大きくするときは、第２の揺らぎ波形の光出力の変化幅を連動して大きくする。第１の揺らぎ波形と第２の揺らぎ波形の光出力の変化幅が連動するので、ろうそくの炎による照明を疑似的に再現することができ、かつ、複数の光源を必要としないので低コストとなる。【選択図】図１
2010003581.tif 000002
【特許請求の範囲】
【請求項１】
光源の光出力を経時的に変化させる照明制御システムにおいて、
前記光源を点灯制御する制御部と、
前記光源の光出力を変化させる調光信号を生成し、前記制御部に出力する調光信号生成部と、を備え、
前記調光信号生成部は、調光信号として、光出力が増減する変化の周期が長く、かつ光出力の変化幅が大きい第１の揺らぎ波形と、光出力が増減する変化の周期が相対的に短く、かつ光出力の変化幅が相対的に小さい第２の揺らぎ波形と、を作成し、これら両波形を重畳した波形を生成し、前記第１の揺らぎ波形の光出力の変化幅を大きくするときは、前記第２の揺らぎ波形の光出力の変化幅を連動して大きくすることを特徴とする照明制御システム。
【発明の詳細な説明】
【技術分野】
【０００１】
本発明は、光出力を経時的に変化させる照明制御システムに関する。
【背景技術】
【０００２】
従来から、光出力を経時的に変化させることにより、ろうそくの炎に似せた照明を行なう照明制御システムが知られている。このような照明制御システムの例を図６に示す。照明制御システム１０１は、２個の光源１０２ａ、１０２ｂと、光源１０２ａ、１０２ｂを覆う乳白色のアクリルカバー１０３と、光源を点灯させる点灯回路（図示せず）や制御部（図示せず）等を有するベース部１０４を備えている。
【０００３】
制御部は、ろうそくの炎が大きい状態を表すときは光源１０２ａ、１０２ｂの両方を点灯させ、ろうそくの炎が小さい状態を表すときは光源１０２ａを消灯し光源１０２ｂを点灯させる。このように、制御部は光源１０２ａ、１０２ｂの点灯を制御して、ろうそくの炎の再現を行なう。しかしながら、このような照明制御システムにおいては光源が２個必要であるので、高コストになり、また、２個の光源を単に点灯／消灯させるだけではろうそくの炎による照明を十分には再現できない。
【０００４】
また、光出力を経時的に単純増加及び単純減少させる出力パターンと、ランダムデータに基づいて光出力を変化させる出力パターンとを重畳させた出力パターンに基づいて光源の光出力を変化させる照明装置が知られている（例えば、特許文献１参照）。
【０００５】
しかしながら、特許文献１に示されるような照明装置においても、ろうそくの炎による照明を十分には再現できない。
【特許文献１】特開２００７−１９４１７６号公報
【発明の開示】
【発明が解決しようとする課題】
【０００６】
本発明は、上記問題を解消するものであり、ろうそくの炎による照明を疑似的に再現することができ、かつ、低コストな照明制御システムを提供することを目的とする。
【課題を解決するための手段】
【０００７】
上記目的を達成するために請求項１の発明は、光源の光出力を経時的に変化させる照明制御システムにおいて、前記光源を点灯制御する制御部と、前記光源の光出力を変化させる調光信号を生成し、前記制御部に出力する調光信号生成部と、を備え、前記調光信号生成部は、調光信号として、光出力が増減する変化の周期が長く、かつ光出力の変化幅が大きい第１の揺らぎ波形と、光出力が増減する変化の周期が相対的に短く、かつ光出力の変化幅が相対的に小さい第２の揺らぎ波形と、を作成し、これら両波形を重畳した波形を生成し、前記第１の揺らぎ波形の光出力の変化幅を大きくするときは、前記第２の揺らぎ波形の光出力の変化幅を連動して大きくするものである。
【発明の効果】
【０００８】
請求項１の発明によれば、第１の揺らぎ波形と第２の揺らぎ波形の光出力の変化幅が連動するので、ろうそくの炎による照明を疑似的に再現することができ、かつ、複数の光源を必要としないので低コストにすることができる。
【発明を実施するための最良の形態】
【０００９】
本発明の実施形態に係る照明制御システムについて図１を参照して説明する。図１は、照明制御システムの構成を示す。照明制御システム１は、光源２と、光源２を点灯させる点灯回路３と、点灯回路３を制御する制御部４と、ろうそくの炎による照明を疑似的に再現できるように光源２の光出力を変化させる調光信号としての揺らぎ波形を生成する調光信号生成部５と、揺らぎ波形の元になる第１の揺らぎ波形と第２の揺らぎ波形を記憶する記憶部６と、調光信号生成部５等に供給する電源を商用電源７から生成する電源部８と、を備えている。第１の揺らぎ波形と第２の揺らぎ波形の詳細については後述する。
【００１０】
光源２は、例えば、ＬＥＤや白熱灯や放電灯であるが、応答速度の速いＬＥＤが望ましい。調光信号生成部５は、第１の揺らぎ波形と第２の揺らぎ波形を重畳して揺らぎ波形（以下、重畳揺らぎ波形という）を生成する。調光信号生成部５は、また、乱数発生部(図示せず)を有している。記憶部６は、不揮発性であってデータの書き換えが可能なＲＡＭ、フラッシュメモリ、ＥＰＲＯＭ、ＥＥＰＲＯＭ等であり、第１の揺らぎ波形及び第２の揺らぎ波形の出力パターンと、光源２のＬＥＤの赤、緑、青の調光データを記憶している。この赤、緑、青の調光データは、光源２の照明光がろうそくの炎の色を再現するように調整されている。調光信号生成部５と記憶部６とは、例えばＭＰＵ（Micro Processing Unit）の中に構成されている。制御部４は、重畳揺らぎ波形と、光源２のＬＥＤの調光データとに基づいて点灯回路３を制御し、光源２を点灯させる。
【００１１】
次に、ろうそくの炎の揺らぎについて、図２（ａ）、（ｂ）を参照して説明する。図２（ａ）は、ろうそくの炎が横方向に揺らいでいる状態を、図２（ｂ）は、ろうそくの炎が縦方向に揺らいでいる状態を示す。ろうそくの炎は、横方向に揺らぐときは、ゆっくりと動き、このときの光出力の変化幅は大きい。また、縦方向に揺らぐときは、速く動き、このときの光出力の変化幅は小さい。ろうそくの炎の横方向の揺らぎを第１の揺らぎ波形によって再現し、ろうそくの炎の縦方向の揺らぎを第２の揺らぎ波形によって再現する。
【００１２】
調光信号生成部５は、重畳揺らぎ波形を生成するときに、一定時間毎に乱数発生部によって例えば０から２．０までの係数ａを０．１きざみでランダムに発生させる。調光信号生成部５は、発生させた係数ａを第１の揺らぎ波形の光出力に乗じて光出力の変化幅を拡大・縮小すると共に、第１の揺らぎ波形に連動して第２の揺らぎ波形の光出力にも係数ａを乗じて光出力の変化幅を拡大・縮小する。
【００１３】
次に、調光信号生成部５による揺らぎ波形の生成動作について、係数ａの値ごとに図３乃至図５を参照して説明する。図３（ａ）乃至（ｃ）は、係数ａが１のときの第１の揺らぎ波形、第２の揺らぎ波形、及び重畳揺らぎ波形の光出力の時間変化を示す。第１の揺らぎ波形及び第２の揺らぎ波形の光出力は、一定時間の間は同一の出力で保持され、一定時間間隔で変化している。この揺らぎ波形において、光出力の変化中での極大値から極大値までの時間を周期とし、極大値と極小値との差を変化幅とする。第１の揺らぎ波形は、ろうそくの炎の横方向の動きを模しているので、周期が長く、変化幅が大きい。光出力は調光上限値と調光下限値の間を周期的に変化する。周期は１０〜２０ｓの範囲が望ましい。また、変化幅の範囲は調光上限値を１００とすると５０〜１００が望ましい。
【００１４】
第２の揺らぎ波形は、ろうそくの炎の縦方向の動きを模しているので、周期が短く、変化幅が小さい。光出力は調光上限値と調光下限値の間を周期的に変化する。周期は１０〜５００ｍｓの範囲が望ましい。また、変化幅の範囲は第１の揺らぎ波形の調光上限値を１００とすると０．２５〜１が望ましい。
【００１５】
重畳揺らぎ波形の光出力は、短い周期で小さい変化幅で変化しながら、長い周期で大きい変化幅で変化をしている。光出力が重畳揺らぎ波形に基づいて変化するので、実際のろうそくの炎による照明を再現することができる。
【００１６】
図４（ａ）乃至（ｃ）は、係数ａが１より大きく、例えば１．５のときの第１の揺らぎ波形、第２の揺らぎ波形、及び重畳揺らぎ波形の光出力の時間変化を示す。第１の揺らぎ波形は光出力に係数ａが乗じられているので、変化幅が１．５倍に拡大する。第２の揺らぎ波形も第１の揺らぎ波形に連動して光出力に係数ａが乗じられているので、変化幅が１．５倍に拡大する。第１の揺らぎ波形と第２の揺らぎ波形の変化幅が連動して拡大するので、重畳された揺らぎ波形による光源２の光出力の揺らぎが自然な変化となる。
【００１７】
図５（ａ）乃至（ｃ）は、係数ａが１より小さく、例えば０．７のときの第１の揺らぎ波形、第２の揺らぎ波形、及び重畳揺らぎ波形の光出力の時間変化を示す。第１の揺らぎ波形は光出力に係数ａが乗じられているので、変化幅が０．７倍に縮小する。第２の揺らぎ波形も第１の揺らぎ波形に連動して係数ａが乗じられているので、変化幅が０．７倍に縮小する。第１の揺らぎ波形と第２の揺らぎ波形の変化幅が連動して縮小するので、重畳された揺らぎ波形による光源２の光出力の揺らぎが自然な変化となる。
【００１８】
このように、ろうそくの炎の横方向の揺らぎを再現する第１の揺らぎ波形と、ろうそくの炎の縦方向の揺らぎを再現する第２の揺らぎ波形が重畳して重畳揺らぎ波形が生成され、また第１の揺らぎ波形と第２の揺らぎ波形の光出力の変化幅が連動して拡大・縮小するので、ろうそくの炎による照明の再現をより良く行なうことができる。また、複数の光源２を必要としないので低コストになる。
【００１９】
なお、本発明は、上記各種実施形態の構成に限られず、発明の趣旨を変更しない範囲で種々の変形が可能である。例えば、光出力に乗じる拡大・縮小の係数ａは、乱数発生部に依らずに予め定めておいてもよいし、風量センサ等を用いて検出した風量に基づいてもよい。また、係数ａの範囲も上述した０から２．０までの０．１きざみに限らず、任意の範囲にすればよい。また、光源２の光出力は段階的に変化するのでなく、連続的に変化するようにしてもよい。
【図面の簡単な説明】
【００２０】
【図１】本発明の実施形態に係る照明制御システムの構成図。
【図２】（ａ）は本システムによって照明を疑似されるろうそくの炎の横方向の揺らぎを説明する図、（ｂ）はろうそくの炎の縦方向の揺らぎを説明する図。
【図３】（ａ）は同上照明制御システムにおいて、係数ａが１のときの第１の揺らぎ波形を示す図、（ｂ）は第２の揺らぎ波形を示す図、（ｃ）は重畳揺らぎ波形を示す図。
【図４】（ａ）は同上照明制御システムにおいて、係数ａが１より大きいときの第１の揺らぎ波形を示す図、（ｂ）は第２の揺らぎ波形を示す図、（ｃ）は重畳揺らぎ波形を示す図。
【図５】（ａ）は同上照明制御システムにおいて、係数ａが１より小さいときの第１の揺らぎ波形を示す図、（ｂ）は第２の揺らぎ波形を示す図、（ｃ）は重畳揺らぎ波形を示す図。
【図６】従来の照明制御システムの正面部分断面図。
【符号の説明】
【００２１】
１  照明制御システム
２  光源
４  制御部
５  調光信号生成部
【図１】
2010003581.tif 000003
【図２】
2010003581.tif 000004
【図３】
2010003581.tif 000005
【図４】
2010003581.tif 000006
【図５】
2010003581.tif 000007
【図６】
2010003581.tif 000008